(57)【特許請求の範囲】
【請求項１】
建物の窓枠に設ける縦型定風量換気装置であって、窓枠に装着される上下方向に伸びた枠体と、この枠体によって画成された上下方向に伸びた開口に配されると共に当該開口を開閉する羽根と、気流に基づいて羽根に開口を開閉させる開閉手段とを具備しており、開閉手段は、羽根の一の部位を昇降自在に支持する第一の支持機構と、羽根の一の部位に対して上下方向に関して一方側に位置する羽根の他の部位を建物内外方向に移動自在に支持する第二の支持機構と、枠体に装着されていると共に開口閉鎖位置にある羽根に解除自在に係合して当該羽根の開口開放移動を禁止する禁止機構とを具備しており、羽根の他の部位は、羽根の他の部位が羽根の一の部位に対して下方に位置している場合であって羽根が開口閉鎖位置にある際には当該羽根の重心に対して建物外側に位置するように、羽根の他の部位が羽根の一の部位に対して上方に位置している場合であって羽根が開口閉鎖位置にある際には当該羽根の重心に対して建物内側に位置するように、配されており、禁止機構は、羽根に取り付けられた被係合部材と、この被係合部材に係合する係合部材と、この係合部材が取り付けられていると共に枠体に上下方向に移動自在に支持されている上下方向に伸びた移動自在部材と、枠体に回動自在に取り付けられていると共に移動自在部材にリンクアームを介して連結されている操作板とを具備しており、操作板を建物外側に回動させる際には、リンクアームを介して移動自在部材が上方へ移動されて、係合部材が被係合部材に係合されるようになっている一方、操作板を建物内側に回動させる際には、リンクアームを介して移動自在部材が下方へ移動されて、係合部材による被係合部材の係合が解除されるようになっている縦型定風量換気装置。
【請求項２】
第二の支持機構は、羽根の他の部位を建物内側から建物外側に案内支持するように建物内側から建物外側に向かって下方に傾斜して伸びた案内支持面を具備している請求項１に記載の縦型定風量換気装置。
【請求項３】
建物の窓枠に設ける縦型定風量換気装置であって、窓枠に装着される上下方向に伸びた枠体と、この枠体によって画成された上下方向に伸びた開口に配されると共に当該開口を開閉する羽根と、気流に基づいて羽根に開口を開閉させる開閉手段とを具備しており、開閉手段は、羽根の一の部位を昇降自在に支持する第一の支持機構と、羽根の一の部位に対して下方に位置する羽根の他の部位を建物内外方向に移動自在に支持する第二の支持機構と、枠体に装着されていると共に開口閉鎖位置にある羽根に解除自在に係合して当該羽根の開口開放移動を禁止する禁止機構とを具備しており、第二の支持機構は、羽根の他の部位を建物内側から建物外側に案内支持するように建物内側から建物外側に向かって下方に傾斜して伸びた案内支持面を具備しており、禁止機構は、羽根に取り付けられた被係合部材と、この被係合部材に係合する係合部材と、この係合部材が取り付けられていると共に枠体に上下方向に移動自在に支持されている上下方向に伸びた移動自在部材と、枠体に回動自在に取り付けられていると共に移動自在部材にリンクアームを介して連結されている操作板とを具備しており、操作板を建物外側に回動させる際には、リンクアームを介して移動自在部材が上方へ移動されて、係合部材が被係合部材に係合されるようになっている一方、操作板を建物内側に回動させる際には、リンクアームを介して移動自在部材が下方へ移動されて、係合部材による被係合部材の係合が解除されるようになっている縦型定風量換気装置。
【請求項４】
羽根の他の部位は、羽根が開口閉鎖位置にある際には当該羽根の重心に対して建物外側に位置している請求項３に記載の縦型定風量換気装置。
【発明の詳細な説明】
【技術分野】
【０００１】
本発明は、建物の壁、サッシ、方立などに設置されて、建物内と建物外とを換気する縦型定風量換気装置に関する。
【背景技術】
【０００２】
例えば特許文献１においては、ばね等により羽根（風量調整板）を所望の位置に弾性的に保持している縦型定風量換気装置が提案されている。
【先行技術文献】
【特許文献】
【０００３】
【特許文献１】特開２００５−２７３２５６号公報
【発明の概要】
【発明が解決しようとする課題】
【０００４】
ところで、斯かる縦型定風量換気装置では、ばね等により羽根を所望の位置に弾性的に保持しているために、当該ばね等の経年劣化等の状態変化に基づいて羽根を所望の位置に保持するのが困難となり、また、気流に基づいて羽根に所望の動作を行わせ難い。加えて、斯かる縦型定風量換気装置では、ばね等の部材を必要とするために装置の簡略化を図り難い。
【０００５】
本発明は、前記諸点に鑑みてなされたものであって、その目的とするところは、羽根を開口開放位置に位置させるためのばね等の部材を用いる必要がなく、気流の変化が生じても建物内外の所望の定風量換気を行い得る縦型定風量換気装置を提供することにある。
【課題を解決するための手段】
【０００６】
本発明の縦型定風量換気装置は、建物の窓枠に設ける縦型定風量換気装置であって、窓枠に装着される上下方向に伸びた枠体と、この枠体によって画成された上下方向に伸びた開口に配されると共に当該開口を開閉する羽根と、気流に基づいて羽根に開口を開閉させる開閉手段とを具備しており、開閉手段は、羽根の一の部位を昇降自在に支持する第一の支持機構と、羽根の一の部位に対して上下方向に関して一方側に位置する羽根の他の部位を建物内外方向に移動自在に支持する第二の支持機構とを具備しており、羽根の他の部位は、羽根の他の部位が羽根の一の部位に対して下方に位置している場合であって羽根が開口閉鎖位置にある際には当該羽根の重心に対して建物外側に位置するように、羽根の他の部位が羽根の一の部位に対して上方に位置している場合であって羽根が開口閉鎖位置にある際には当該羽根の重心に対して建物内側に位置するように、配されている。
【０００７】
本発明の縦型定風量換気装置によれば、特に、開閉手段は、羽根の一の部位を昇降自在に支持する第一の支持機構と、羽根の一の部位に対して上下方向に関して一方側に位置する羽根の他の部位を建物内外方向に移動自在に支持する第二の支持機構とを具備しており、羽根の他の部位は、羽根の他の部位が羽根の一の部位に対して下方に位置している場合であって羽根が開口閉鎖位置にある際には当該羽根の重心に対して建物外側に位置するように、羽根の他の部位が羽根の一の部位に対して上方に位置している場合であって羽根が開口閉鎖位置にある際には当該羽根の重心に対して建物内側に位置するように、配されているために、自重に基づいて羽根を開口開放移動させることができ、しかも、建物外側から開口に向かう気流の増大に基づいて、羽根の自重に基づく開口開放移動力に抗して当該羽根に開口閉鎖移動を生じさせることができ、而して、羽根を開口開放位置に位置させるためのばね等の部材を用いる必要がなく、気流の変化が生じても建物内外の所望の定風量換気を行い得る。また、斯かる縦型定風量換気装置では、第二の支持機構は、羽根の他の部位を建物内側から建物外側に案内支持するように建物内側から建物外側に向かって下方に傾斜して伸びた案内支持面を具備していてもよく、斯かる場合には、羽根の他の部位を案内支持面において建物内側から建物外側に案内支持することで羽根に開口開放移動を生じさせることができ、しかも、建物外側から開口に向かう気流の増大に基づいて、前述のように羽根に生じている開口開放移動に抗して当該羽根に開口閉鎖移動を生じさせることができ、而して、羽根を開口開放位置に位置させるためのばね等の部材を用いる必要がなく、気流の変化が生じても建物内外の所望の定風量換気を行い得る。
【０００８】
本発明の他の態様の縦型定風量換気装置は、建物の窓枠に設ける縦型定風量換気装置であって、窓枠に装着される上下方向に伸びた枠体と、この枠体によって画成された上下方向に伸びた開口に配されると共に当該開口を開閉する羽根と、気流に基づいて羽根に開口を開閉させる開閉手段とを具備しており、開閉手段は、羽根の一の部位を昇降自在に支持する第一の支持機構と、羽根の一の部位に対して下方に位置する羽根の他の部位を建物内外方向に移動自在に支持する第二の支持機構とを具備しており、第二の支持機構は、羽根の他の部位を建物内側から建物外側に案内支持するように建物内側から建物外側に向かって下方に傾斜して伸びた案内支持面を具備している。
【０００９】
本発明の他の態様の縦型定風量換気装置によれば、特に、開閉手段は、羽根の一の部位を昇降自在に支持する第一の支持機構と、羽根の一の部位に対して下方に位置する羽根の他の部位を建物内外方向に移動自在に支持する第二の支持機構とを具備しており、第二の支持機構は、羽根の他の部位を建物内側から建物外側に案内支持するように建物内側から建物外側に向かって下方に傾斜して伸びた案内支持面を具備しているために、羽根の他の部位を案内支持面において建物内側から建物外側に案内支持することで羽根に開口開放移動を生じさせることができ、しかも、建物外側から開口に向かう気流の増大に基づいて、前述のように羽根に生じている開口開放移動に抗して当該羽根に開口閉鎖移動を生じさせることができ、而して、羽根を開口開放位置に位置させるためのばね等の部材を用いる必要がなく、気流の変化が生じても建物内外の所望の定風量換気を行い得る。また、斯かる他の態様の縦型定風量換気装置では、羽根の他の部位は、羽根が開口閉鎖位置にある際には当該羽根の重心に対して建物外側に位置していてもよく、斯かる場合には、自重に基づいて羽根を開口開放移動させることができ、しかも、建物外側から開口に向かう気流の増大に基づいて、羽根の自重に基づく開口開放移動力に抗して当該羽根に開口閉鎖移動を生じさせることができ、而して、羽根を開口開放位置に位置させるためのばね等の部材を用いる必要がなく、気流の変化が生じても建物内外の所望の定風量換気を行い得る。
【００１０】
上述の本発明の縦型定風量換気装置の夫々は、枠体に装着されていると共に、開口閉鎖位置にある羽根に解除自在に係合して当該羽根の開口開放移動を禁止する禁止機構を更に具備していてもよい。
【発明の効果】
【００１１】
本発明によれば、羽根を開口開放位置に位置させるためのばね等の部材を用いる必要がなく、気流の変化が生じても建物内外の所望の定風量換気を行い得る縦型定風量換気装置を提供し得る。
【図面の簡単な説明】
【００１２】
【図１】図１は、本発明の実施の形態の例の開口閉鎖時における一部省略側面説明図である。
【図２】図２は、図１に示す例の開口開放時における一部省略側面説明図である。
【図３】図３は、図１に示す例の主に第一の支持機構に関する断面説明図である。
【図４】図４は、図１に示す例の主に第二の支持機構に関する断面説明図である。
【図５】図５は、図１に示す例の建物内側からみた全体説明図である。
【図６】図６は、図５に示す例の一部省略全体説明図である。
【図７】図７の（ａ）及び（ｂ）は、図１に示す例の主に第一の支持機構の説明図である。
【図８】図８の（ａ）及び（ｂ）は、図１に示す例の主に第二の支持機構の説明図である。
【図９】図９は、図１に示す例の窓枠への設置に関する説明図である。
【発明を実施するための形態】
【００１３】
次に本発明を、図に示す好ましい実施の形態の例に基づいて更に詳細に説明する。なお、本発明はこれら例に何等限定されないのである。
【実施例】
【００１４】
図１から図９において、図９に示す建物の窓枠２に設けられる本例の縦型定風量換気装置１は、窓枠２に装着される上下方向としてのＺ方向に伸びた枠体３と、枠体３によって画成されたＺ方向に伸びた開口４に配されると共に当該開口４を開閉する羽根５と、気流に基づいて羽根５に開口４を開閉させる開閉手段６と、枠体３に装着されていると共に、開口閉鎖位置にある羽根５に解除自在に係合して当該羽根５の開口開放移動を禁止する禁止機構７とを具備している。縦型定風量換気装置１は、建物外８側に向かう羽根５の開口開放移動により図２に示すように開口４を開き、建物内９側に向かう羽根５の開口閉鎖移動により図１に示すように開口４を閉じるようになっている。
【００１５】
図１は羽根５が開口閉鎖位置にある状態を、図２は羽根５が開口開放位置にある状態を夫々示している。図９において、符号１０は建物壁、符号１１はガラス板等からなる障子である。窓枠２は、夫々互いに連結された上枠１２、下枠１３並びに一対の縦枠１４及び１５を有しており、縦枠１５には縦型定風量換気装置１が設置されている。
【００１６】
枠体３は、Ｚ方向に伸びた一対の縦枠２１及び２２と、縦枠２１及び２２を連結している上蓋２３及び下蓋２４とを具備している。縦枠２１及び２２の建物内９側の部位には、防塵網２６と、防塵網２６を覆う覆板２５とが取り付けられている。覆板２５には、Ｚ方向において互いに並んで配設された複数の孔２７が形成されている。縦枠２１は、窓枠２の縦枠１５に装着されている。下蓋２４には排水管２８が装着されている。
【００１７】
羽根５は、Ｚ方向に伸びた中空の羽根本体４１と、羽根本体４１の上端及び下端に夫々取り付けられた上蓋４２及び下蓋４３とを具備している。羽根本体４１には、Ｘ方向及びＺ方向に直交する横方向としてのＹ方向に突出している一対の側縁部４４及び４５が形成されており、側縁部４４及び４５は、羽根５が開口閉鎖位置にある際に、開口４を閉鎖すべく縦枠２１及び２２に当接するように形成されている。
【００１８】
開閉手段６は、羽根５の一の部位３１を昇降自在に支持する第一の支持機構３２（以下、支持機構３２と称する）と、羽根５の部位３１に対して下方に位置する羽根５の他の部位３３をＺ方向に直交する建物内外方向としてのＸ方向に移動自在に支持する第二の支持機構３４（以下、支持機構３４と称する）とを具備している。羽根５の部位３３は、羽根５が図１に示す開口閉鎖位置にある際には当該羽根５の重心Ｇに対して建物外８側に位置している。
【００１９】
支持機構３２は、羽根本体４１の一方の側面４６及び縦枠２１と羽根本体４１の他方の側面４７及び縦枠２２とに夫々設けられている。以下、羽根本体４１の側面４６及び縦枠２１に設けられた支持機構３２について詳細に説明し、羽根本体４１の側面４７及び縦枠２２に設けられた支持機構３２については図に適宜符号ａを付してその詳細な説明を省略する。
【００２０】
支持機構３２は、羽根本体４１の側面４６の部位３１に装着された軸体５１と、枠体３に対して部位３１がＺ方向に関して昇降自在となるように軸体５１を昇降自在に支持する支持部材５２とを具備している。軸体５１は転動ローラからなっていてもよい。支持部材５２は縦枠２１に取り付けられている。
【００２１】
支持部材５２には、軸体５１を昇降させる方向に伸びた長孔又はスリット、本例では長孔５３が形成されており、当該長孔５３には軸体５１が配されている。長孔５３は、建物内９側から建物外８側に向かって下方に伸びるようにＺ方向に伸びる鉛直線に対して傾斜して伸びている。長孔５３は、羽根５の開口開放移動及び開口閉鎖移動において軸体５１をＺ方向に関して案内支持する。軸体５１は、羽根５が図１に示す開口閉鎖位置にある際には長孔５３の上端５４に位置し、羽根５が図２に示す開口開放位置にある際には長孔５３の下端５５に位置する。
【００２２】
支持機構３４は、羽根本体４１の側面４６及び縦枠２１と羽根本体４１の側面４７及び縦枠２２とに夫々設けられている。以下、羽根本体４１の側面４６及び縦枠２１に設けられた支持機構３４について詳細に説明し、羽根本体４１の側面４７及び縦枠２２に設けられた支持機構３４については図に適宜符号ａを付してその詳細な説明を省略する。
【００２３】
支持機構３４は、羽根本体４１の側面４６の部位３３に装着された軸体６１と、前記部位３３をＸ方向に関して建物内９側から建物外８側に案内支持するように建物内９側から建物外８側に向かって下方に傾斜してＸ方向に伸びた案内支持面６２が形成された支持部材６３とを具備している。軸体６１は転動ローラからなっていてもよい。支持部材６３は縦枠２１に取り付けられている。部位３３に装着された軸体６１は、羽根５が開口閉鎖位置にある場合に当該羽根５の重心Ｇに対して上方に且つ建物外８側に位置するように配されている。軸体６１及び羽根５の重心Ｇは、羽根５が開口開放位置にある場合にＺ方向に伸びる同一鉛直線上に夫々位置する。
【００２４】
案内支持面６２は、支持部材６３に形成された長孔６４を画成する面からなる。長孔６４は、建物内９側から建物外８側に向かって下方に伸びるようにＸ方向に伸びる水平線に対して傾斜して伸びており、案内支持面６２もまた、建物内９側から建物外８側に向かって下方に伸びるように前記水平線に対して傾斜して伸びている。長孔６４は、羽根５の開口開放移動及び開口閉鎖移動において軸体６１をＸ方向に関して案内支持する。軸体６１は、羽根５が図１に示す開口閉鎖位置にある際には長孔６４の建物内９側の端部６５に位置し、羽根５が図２に示す開口開放位置にある際には長孔６４の建物外８側の端部６６に位置する。案内支持面６２の傾斜角は、建物外８側から建物内９側に向かうに従って漸増していてもよく、斯かる場合には、案内支持面６２は湾曲面からなる。
【００２５】
羽根５が開口開放位置にある場合には、羽根５の重心Ｇと部位３３とがＺ方向に伸びる同一鉛直線上に夫々位置するために、羽根５はその自重によりバランスを保って静止する。斯かる静止状態にある羽根５は、気流に基づく小さな力によって開口閉鎖移動し得る状態にある。ここで羽根５が気流に基づいて開口開放位置から開口閉鎖移動を生じると、部位３３が重心Ｇに対して建物外８側に位置し且つ案内支持面６２が上述のように傾斜しているために、羽根５には開口閉鎖移動力に抗する抗移動力としての開口開放移動力が与えられる。開口閉鎖移動力が抗移動力としての開口開放移動力よりも上回っている場合には、羽根５は開口閉鎖移動を生じ、また、開口閉鎖移動力が抗移動力としての開口開放移動力よりも下回っている場合には、羽根５は開口開放移動を生じて開口開放位置に復帰する。
【００２６】
羽根５が開口閉鎖位置にある場合には、部位３３と重心Ｇとを結ぶ線は、鉛直線に対して、建物外８側から建物内９側に向かって下方に傾斜しており、この傾斜角は、羽根５が開口開放移動によって開口開放位置に接近するに連れて漸減し、羽根５が開口開放位置に配された際に０度となる。部位３３と重心Ｇとを結ぶ線が鉛直線に対して建物外８側から建物内９側に向かって下方に傾斜している場合には、羽根５にはその自重に基づく開口開放移動力が付与され、部位３３と重心Ｇとを結ぶ線の鉛直線に対する傾斜角が０度となった場合には、部位３３の位置と重心Ｇの位置との関係における開口開放移動力は生じない。
【００２７】
禁止機構７は、羽根本体４１に取り付けられた被係合部材７１、７２及び７３と、被係合部材７１、７２及び７３に夫々係合する係合部材７４、７５及び７６と、係合部材７４、７５及び７６が取り付けられていると共に縦枠２１にＺ方向に移動自在に支持されているＺ方向に伸びた移動自在部材７７と、縦枠２１及び２２に取り付けられた筐体７８に回動自在に取り付けられていると共に移動自在部材７７にリンクアーム７９を介して連結されている操作板８０とを具備している。
【００２８】
被係合部材７１、７２及び７３は、Ｚ方向において間隔をもって羽根本体４１に夫々取り付けられており、係合部材７４、７５及び７６に係合される軸部８１を夫々具備している。係合部材７４、７５及び７６は、Ｚ方向において間隔をもって移動自在部材７７に取り付けられており、被係合部材７１、７２及び７３の夫々の軸部８１を係合する凹所８２を夫々具備している。凹所８２は、係合部材７４、７５及び７６の夫々の上縁において開口している。
【００２９】
移動自在部材７７には、縦枠２１に形成されたＺ方向に伸びた条溝８５にＺ方向に移動自在に嵌合した案内ローラ８６及び８７が装着されており、当該案内ローラ８６及び８７によって案内されながらＺ方向に移動するように配設されている。
【００３０】
操作板８０は、図１に示すように、係合部材７４、７５及び７６が被係合部材７１、７２及び７３に夫々係合している際には、Ｚ方向に伸びた状態で筐体７８内に配されており、リンクアーム７９もまたＺ方向に伸びた状態で配されている。
【００３１】
操作板８０を建物内９側に引っ張り出すように回動させた際には、リンクアーム７９も回動を生じて傾斜するために、移動自在部材７７に下方への移動力が与えられ、これにより、移動自在部材７７はＺ方向において下方に移動し、当該移動自在部材７７に取り付けられている係合部材７４、７５及び７６は被係合部材７１、７２及び７３に対して相対的にＺ方向において下方に移動し、而して、図２に示すように、係合部材７４、７５及び７６による被係合部材７１、７２及び７３の係合は解除される。このように、禁止機構７は、係合部材７４、７５及び７６による被係合部材７１、７２及び７３の係合を解除することで、羽根５の開口開放移動の禁止を解除するようになっている。また、羽根５が図１に示す開口閉鎖位置にある際に、操作板８０を筐体７８内にＺ方向に伸びた状態で配されるように逆回動させると、移動自在部材７７にはリンクアーム７９を介して上方への移動力が与えられ、これにより、移動自在部材７７はＺ方向において上方に移動し、当該移動自在部材７７に取り付けられている係合部材７４、７５及び７６は被係合部材７１、７２及び７３に対して相対的にＺ方向において上方に移動し、而して、図１に示すように、被係合部材７１、７２及び７３は係合部材７４、７５及び７６に係合される。このように、禁止機構７は、係合部材７４、７５及び７６によって被係合部材７１、７２及び７３を係合することで、羽根５の開口開放移動を禁止するようになっている。
【００３２】
縦型定風量換気装置１による開口４の開閉動作について以下説明する。まず、図１に示す開口閉鎖位置にある羽根５の開口開放移動を、禁止機構７による羽根５と枠体３との係合を解除して当該羽根５の開口開放移動を許容する。羽根５の開口開放移動が許容されると、部位３３がＸ方向に関して重心Ｇに対して建物外８側に位置し且つ案内支持面６２が上述のように傾斜しているために、羽根５には開口開放位置に向かう回動モーメントが付与され、羽根５は開口開放移動を開始する。軸体５１は、部位３３の建物外８側に向かう移動に伴い、長孔５３に沿って建物外８側に移動を生じながら下降する。羽根５に付与される開口開放位置に向かう回動モーメントは、羽根５が開口開放位置に接近するに連れて、部位３３と重心Ｇとを結ぶ線の鉛直線に対する傾斜角が漸減するために、次第に小さくなる。羽根５が開口開放移動により図２に示す開口開放位置に到達すると、部位３３と重心Ｇとの夫々が同一鉛直線上に位置し、これにより羽根５の自重に基づく開口開放移動力が生じなくなり、而して、羽根５は開口開放位置で静止する。このように羽根５に付与される開口開放位置に向かう回動モーメントが次第に小さくなるために羽根５による急速な開口４の開放を防止することができ、また逆に、羽根５が開口開放位置から開口閉鎖位置に向かって開口閉鎖移動する場合には、羽根５に付与される開口開放位置に向かう回動モーメントは次第に大きくなるために、前記開口閉鎖移動に抗する抗移動力としての開口開放移動力が漸増する結果、急速な開口４の閉鎖を防止することができる。
【００３３】
羽根５が図２に示す開口開放位置にある場合に、気流により羽根５に対して建物外８側が正圧に且つ建物内９側が負圧になると、羽根５には気流に基づく開口閉鎖移動力が付与され、この気流に基づく開口閉鎖移動力によって羽根５が開口閉鎖移動すると、建物外８及び建物内９間を流れる気体流量は減少する。逆に、気流により羽根５に対して建物外８側が負圧に且つ建物内９側が正圧になると、羽根５には気流に基づく開口開放移動力が付与され、この気流に基づく開口開放移動力によって羽根５が開口開放移動すると、建物外８及び建物内９間を流れる気体流量は増大する。気流に基づく開口開放移動力及び開口閉鎖移動力が生じなくなると、羽根５は、上述のように開口開放位置に復帰し、静止する。
【００３４】
本例の縦型定風量換気装置１によれば、建物の窓枠２に設ける縦型定風量換気装置１であって、窓枠２に装着されるＺ方向に伸びた枠体３と、枠体３によって画成されたＺ方向に伸びた開口４に配されると共に当該開口４を開閉する羽根５と、気流に基づいて羽根５に開口４を開閉させる開閉手段６とを具備しており、開閉手段６は、羽根５の一の部位３１を昇降自在に支持する支持機構３２と、羽根５の一の部位３１に対して下方に位置する羽根５の他の部位３３をＸ方向に移動自在に支持する支持機構３４とを具備しており、羽根５の他の部位３３は、羽根５が開口閉鎖位置にある際には当該羽根５の重心Ｇに対して建物外８側に位置しているために、自重に基づいて羽根５を開口開放移動させることができ、しかも、建物外８側から開口４に向かう気流の増大に基づいて、羽根５の自重に基づく開口開放移動力に抗して当該羽根５に開口閉鎖移動を生じさせることができ、而して、羽根５を開口開放位置に位置させるためのばね等の部材を用いる必要がなく、気流の変化が生じても建物内外の所望の定風量換気を行い得る。尚、縦型定風量換気装置１は、上述の開閉手段６に代えて、例えば、羽根５の一の部位を昇降自在に第一の支持機構と、羽根５の一の部位に対して上方に位置する羽根５の他の部位をＸ方向に移動自在に支持する第二の支持機構とを具備し、羽根５の前記他の部位は、羽根５が開口閉鎖位置にある際には当該羽根５の重心に対して建物内側に位置していてもく、斯かる場合においても、上記同様の効果を奏し得る。
【００３５】
縦型定風量換気装置１によれば、建物の窓枠２に設ける縦型定風量換気装置１であって、窓枠２に装着されるＺ方向に伸びた枠体３と、枠体３によって画成されたＺ方向に伸びた開口４に配されると共に当該開口４を開閉する羽根５と、気流に基づいて羽根５に開口４を開閉させる開閉手段６とを具備しており、開閉手段６は、羽根５の一の部位３１を昇降自在に支持する支持機構３２と、羽根５の一の部位３１に対して下方に位置する羽根５の他の部位３３をＸ方向に移動自在に支持する支持機構３４とを具備しており、支持機構３４は、羽根５の他の部位３３を建物内９側から建物外８側に案内支持するように建物内９側から建物外８側に向かって下方に傾斜して伸びた案内支持面６２を具備しているために、羽根５の他の部位３３を案内支持面６２において建物内９側から建物外８側に案内支持することで羽根５に開口開放移動を生じさせることができ、しかも、建物外８側から開口４に向かう気流の増大に基づいて、前述のように羽根５に生じている開口開放移動に抗して当該羽根５に開口閉鎖移動を生じさせることができ、而して、羽根５を開口開放位置に位置させるためのばね等の部材を用いる必要がなく、気流の変化が生じても建物内外の所望の定風量換気を行い得る。
【符号の説明】
【００３６】
１  換気装置
２  窓枠
３  枠体
４  開口
５  羽根
６  開閉手段
７  禁止機構
８  建物外
９  建物内
３２、３４  支持機構
６２  案内支持面
【図１】
0005821193.tif 000002
【図２】
0005821193.tif 000003
【図３】
0005821193.tif 000004
【図４】
0005821193.tif 000005
【図５】
0005821193.tif 000006
【図６】
0005821193.tif 000007
【図７】
0005821193.tif 000008
【図８】
0005821193.tif 000009
【図９】
0005821193.tif 000010